(57)【要約】 【課題】食卓に置いた時、保持部が食卓に接触せず、且つ、食事中に汁類で手を汚さない衛生的な食卓用品を提供する。【解決手段】  食物を保持する保持部１と、この保持部１に連設される柄部２とで成る食卓用品であって、前記柄部２に鍔状体３を設け、食卓に置かれた際に前記鍔状体３と前記柄部２の一部を食卓に当接させることにより、前記保持部１が食卓に非接触の状態に保持されるように構成した。【選択図】図３
0003118634.tif 000002
【実用新案登録請求の範囲】
【請求項１】
食物を保持する保持部（１）と、この保持部（１）に連設される柄部（２）とで成る食卓用品であって、
前記柄部（２）に鍔状体（３）を設け、食卓（Ｄ）に置かれた際に前記鍔状体（３）と前記柄部（２）の一部を食卓（Ｄ）に当接させることにより、前記保持部（１）が食卓（Ｄ）に非接触の状態に保持されるように構成したことを特徴とする食卓用品。
【請求項２】
前記鍔状体（３）が前記食卓（Ｄ）に当接する部位（３ａ、３ｂ）を凹状としたことを特徴とする請求項１に記載の食卓用品。
【請求項３】
表向きに食卓（Ｄ）に置かれた時、前記柄部（２）が上方に凸状となるように湾曲されていることを特徴とする請求項１または請求項２の何れかに記載の食卓用品。
【請求項４】
前記保持部（１）がスプーンまたはフォークで成ることを特徴とする請求項１から請求項３までの何れかに記載の食卓用品。
【考案の詳細な説明】
【技術分野】
【０００１】
本考案は、スプーンやフォーク等の食卓用品に関し、特に幼児や介護者等の食事に用いて好適な食卓用品に関するものである。
【背景技術】
【０００２】
従来より、箸を使って食事ができない幼児や介護者にとって、スプーンやフォークは食事に欠かせない食卓用品である。ところが、一般的に使用されるスプーンやフォークは、その形状により、そのまま食卓に置くと必ず掬い部分（保持部）が食卓に接触することになる。特に、幼児は食事中に手に持ったスプーンやフォークを無造作に食卓に置くことが多いため、口にする掬い部分が食卓に触れることは不衛生であり、この際、掬い部に付着した粘性固形食物や汁物等が食卓に付着して汚れとなる。
また、特に幼児は、食事中に掬い部を上向きにすることが多いから、汁類が掬い部から柄部を伝って幼児の手を濡らし、不衛生である。
【考案の開示】
【考案が解決しようとする課題】
【０００３】
本考案は、上記した問題点に鑑み成されたもので、食卓に置いた時、保持部が食卓に接触せず、且つ、食事中に汁類で手を汚さない衛生的な食卓用品を提供することを目的としている。
【課題を解決するための手段】
【０００４】
すなわち、請求項１に記載の考案は、食物を保持する保持部と、この保持部に連設される柄部とで成る食卓用品であって、前記柄部に鍔状体を設け、食卓に置かれた際に前記鍔状体と前記柄部の一部を食卓に当接させることにより、前記保持部が食卓に非接触の状態に保持されるように構成したことを特徴としている。  
【０００５】
また、請求項２に記載の考案は、請求項１に記載の食卓用品において、前記鍔状体が食卓に当接する部位を凹状としたことを特徴としている。
【０００６】
また、請求項３に記載の考案は、請求項１または請求項２の何れかに記載の食卓用品において、表向きに食卓に置いた時、前記柄部が上方に凸状となるように湾曲されていることを特徴としている。
【０００７】
また、請求項４に記載の考案は、請求項１から請求項３までの何れかに記載の食卓用品において、前記保持部がスプーンまたはフォークで成ることを特徴としている。
【考案の効果】
【０００８】
請求項１に記載の考案によれば、食卓用品を食卓に置くと、鍔状体と柄部の一部が食卓に当接して食卓用品を２箇所で支持し、保持部は食卓に接触せず保持される状態となるため、口にする保持部が食卓に触れることはなく、衛生的であり、且つ、保持部に付着した粘性固形食物や汁物等が食卓に付着して汚れとなることもない。
また、鍔状体を設けることにより、この鍔状体が柄部を把持する際のストッパーとなって、幼児等が不用意に保持部を直接握ることが防止され、衛生的であると共に、食事中に汁類が保持部より柄部に伝って流れ、手を汚す不都合が解消される。
【０００９】
また、請求項２に記載の考案によれば、鍔状体が食卓に当接する部分が凹状であるから、鍔状体の両端２箇所で食卓に当接することになり、よって、食卓に置かれた食卓用品の安定性が良くなる。
【００１０】
また、請求項３に記載の考案によれば、柄部が凸状に湾曲しているため、表向きに食卓に置かれた場合は、柄部が浮き上がった中央部分に指を入れ易くなり、幼児等が食卓用品を掴み易くなる。
【考案を実施するための最良の形態】
【００１１】
以下、図面に基づいて本考案に係る食卓用品の一実施形態を説明する。
【００１２】
図１〜図３に示す本実施形態は、幼児や介護者等の食事に用いて好適な食卓用品であって、食物を保持する保持部１と、これに連設される柄部２とで構成されスプーンである。
材料としてはＡＢＳ樹脂、ＡＳ樹脂等の合成樹脂、或いは、瀬戸物、金属（ＳＵＳ）等が用いられ、柄部２は表側を上に向けて（掬い面が上に向く）食卓Ｄに置いた時に、柄部２の中央部分が上方に凸状（山形）となるように緩やかに湾曲している。
【００１３】
また、このスプーンの保持部１と柄部２の連結部分に、略四角形の鍔状体３が柄部２と一体的に形成されており、スプーンを表向きに食卓Ｄに置いた時、図３に示すように、この鍔状体３と柄部２の先端部分が食卓Ｄに当接してスプーンを２箇所で支持し、保持部１を食卓Ｄに接触させない浮かせた状態に保持できるようになっている。
他方、図示しないが、このスプーンを裏返し（掬い面が下向き）に置いた場合、スプーンは鍔状体３と柄部２の中央部分（山形の頂部）の２箇所で支持され、やはり保持部１を食卓Ｄに接触することなく保持することができる。
従って、鍔状体３の形成位置は、これを支点として重心が柄部２の先端側に来るよう、上述した保持部１と柄部２の連結部分に設定され、且つ、鍔の上下幅も保持部１に対して上下方向に突出する寸法に設定されている。
【００１４】
本構成では、スプーンを食卓Ｄに置いても、幼児等が口にする保持部１が食卓Ｄに触れることがないため衛生的であり、且つ、食事中に保持部１に付着した粘性固形食物や汁物等が食卓Ｄに付着して汚れとなることもない。
さらには、この鍔状体３が柄部２を把持するの際のストッパーとなるため、幼児等が不用意に直接保持部１を握って手を汚すこともなく、衛生的であると共に、食事中に保持部１を上に向けて汁類等が保持部１より柄部２に伝って流れたとしても、鍔状体３で遮られてそれ以降の柄部２は汁等で濡らされ難くなるため、柄部２を握った手が汚れる心配は少ない。
【００１５】
また、本実施形態では、図１に示すように、この略四角形の鍔状体３が食卓Ｄに当接する下面３ｂ（スプーンを表向きで置いた場合）、或いは上面３ａ（スプーンを裏返しに置いた場合）が凹状に形成されている。
このように、食卓Ｄとの当接面３ａ、３ｂを凹状とすることにより、鍔状体３の両端２箇所が食卓Ｄに当接することになり、食卓に置いた時のスプーンの安定性が良くなるというメリットがある。
【００１６】
加えて、上述のように、柄部２が上方に凸状に湾曲しているため、スプーンを上向きにして食卓Ｄに置くと、柄部２の中央部分が浮き上がって食卓Ｄとの間に隙間が生じるため、この浮き上がった部分に指を入れれば、手先が不器用な幼児でも簡単にスプーンを掴み上げることができる。
【００１７】
以上、本実施形態では、保持部１をスプーンとした食卓用品について説明したが、本考案は、図４に示すように、保持部１をフォークとした食卓用品についても適用できることは勿論である。
【図面の簡単な説明】
【００１８】
【図１】本考案に係るスプーンの外観斜視図。
【図２】同、スプーンの平面図。
【図３】同、スプーンを食卓に置いた状態を示す側面図。
【図４】本考案に係るフォークの外観斜視図。
【符号の説明】
【００１９】
１  保持部
２  柄部
３  鍔状体
Ｄ  食卓
【図１】
0003118634.tif 000003
【図２】
0003118634.tif 000004
【図３】
0003118634.tif 000005
【図４】
0003118634.tif 000006